(57)【要約】【課題】  乳腺を圧迫することのない肩ベルトを有したおんぶ紐（乳幼児の背負い具）の提供を課題とするものである。【解決手段】  乳幼児を背中に背負うおんぶ紐であって、乳幼児の収容部を構成する本体部と着用者の肩にかける左右一対の肩ベルトと、着用者の胴体部に装着される胴ベルトを有し、      前記本体部は、下端を前記胴ベルトの長手方向の側縁に連結することで乳幼児の臀部を支える支持部と、当該臀部を支える支持部から上方に亘って連続する乳幼児の背中を支える背当て部によって構成され、前記肩ベルトは、一端を前記背当て部の上部両端から外側の斜め上方に向かうように取り付けるとともに、他端を前記支持部より上方に位置する前記背当て部の側縁に取り付けたことを特徴とする。【選択図】図１
2013183989.tif 000002
【特許請求の範囲】
【請求項１】
乳幼児を背中に背負うおんぶ紐であって、
乳幼児の収容部を構成する本体部と
着用者の肩にかける左右一対の肩ベルトと、
着用者の胴体部に装着される胴ベルトを有し、      
前記本体部は、下端を前記胴ベルトの長手方向の側縁に連結することで乳幼児の臀部を支える支持部と、当該臀部を支える支持部から上方に亘って連続する乳幼児の背中を支える背当て部によって構成され、
前記肩ベルトは、一端を前記背当て部の上部両端から外側の斜め上方に向かうように取り付けるとともに、他端を前記支持部より上方に位置する前記背当て部の側縁に取り付けたことを特徴とするおんぶ紐。
【請求項２】
前記左右一対の肩ベルトには、着用者の胸部上方を横断して互いを連結する連結ベルトが設けられていることを特徴とする請求項１記載のおんぶ紐。
【発明の詳細な説明】
【技術分野】
【０００１】
本発明は、乳幼児を背負う際に使用するおんぶ紐に関するものである。
【背景技術】
【０００２】
従来特許文献１に記載されたおんぶ紐、特許文献２に記載された子守帯が知られている。これらは、乳幼児を背負うためのおんぶ紐であり、乳幼児を収容する本体部、背負うための肩掛け帯、腰帯等を有している。
【特許文献１】実公平４−２９８２５号公報
【特許文献２】実公平６−１８５４６号公報
【０００３】
上記従来のおんぶ紐は、乳幼児を背負うものであって、肩から胸の前部、わき腹に至る肩掛けベルト（肩ベルト）によって、乳幼児の荷重を支えるものであった。このような従来のおんぶ紐は、肩ベルトが胸の前部を通るため、着用すると乳房を押圧するものであった。しかし、おんぶ紐を使用するのは主として産後の母親であり、上記のような押圧が生じると乳腺が圧迫されるので苦痛を我慢して使用する場合も多かった。また、乳腺の圧迫は、乳腺炎などの障害を発生させる要因ともなっていた。
【発明の開示】
【発明が解決しようとする課題】
【０００４】
本発明は、上記課題に鑑み発明されたものであって、乳腺を圧迫することのない肩ベルと構造を有したおんぶ紐（乳幼児の背負い具）の提供を課題とするものである。
【課題を解決するための手段】
【０００５】
上記課題を解決するために、本願請求項１記載の発明は以下の構成を有する。すなわち、
乳幼児を背中に背負うおんぶ紐であって、
乳幼児の収容部を構成する本体部と
着用者の肩にかける左右一対の肩ベルトと、
着用者の胴体部に装着される胴ベルトを有し、      
前記本体部は、下端を前記胴ベルトの長手方向の側縁に連結することで乳幼児の臀部を支える支持部と、当該臀部を支える支持部から上方に亘って連続する乳幼児の背中を支える背当て部によって構成され、
前記肩ベルトは、一端を前記背当て部の上部両端から外側の斜め上方に向かうように取り付けるとともに、他端を前記支持部より上方に位置する前記背当て部の側縁に取り付けたことを特徴とするおんぶ紐。
【０００６】
また、本願請求項１記載の発明は以下の構成を有する。すなわち、
前記左右一対の肩ベルトには、着用者の胸部上方を横断して互いを連結する連結ベルトが設けられていることを特徴とする請求項１記載のおんぶ紐。
【発明の効果】
【０００７】
本発明に係るおんぶ紐は、乳幼児を背負うための肩ベルトが着用した使用者の乳房上を通過しないので、当該肩ベルトによって乳腺を圧迫しないという効果を有している。これにより着用時の不快感を解消し、乳腺圧迫による障害の発生を軽減することができるという効果を有している。
【発明を実施するための最良の形態】
【０００８】
以下、本発明を実施するための最良の形態について説明する。図１は本発明に係るおんぶ紐１の外観図であり、図２（ａ）は使用状態のおんぶ紐１を背中側から見た背面図、図２（ｂ）は使用状態のおんぶ紐１を正面側から見た正面図を表している。
おんぶ紐１は、主な構成として乳幼児の収容部を構成する本体部２を有している。当該本体部２は、クッション性と柔軟性を有する厚みのあるシート状の部材によって形成されており、乳幼児の背中を支える背当て部分３ａと当該背当て部分３に連続する臀部支持部３ｂを構成している。乳幼児の背中を支える背当て部分３は、矩形若しくは逆台形状に形成されており、当該背当て部分３ａの下部分に臀部支持部３ｂが設けられている。臀部支持部３ｂの端部は、後述する胴ベルト１０の上端縁１１に結合されている。
【０００９】
本体部２が有する背当て部分３の上部両端の角部８には、それぞれ肩ベルトの一端が取り付けられている。肩ベルトは、布状シートによってクッション材を内部に挟んで縫製した幅が約７．５ｃｍの人体に接触するベルト状の当接部分４を有し、その先端に高強度の細幅の繊維ベルト５を設けた構造を有している。繊維ベルト５は、本体部２の側縁に設けた取付けパーツ６に挿通させて取付け長さを調節できるようになっている。
【００１０】
当接部分４は、背当て部分３の上部両端の角部から、垂直方向に対して約３５度〜５５度の角度（４５度が最も好ましい）範囲で、外側斜め上方に向かって取り付けられている。
一般的なリュックサックや従来のだっこ紐が有している肩ベルトは、主として首元から肩の関節に亘る鎖骨や筋肉部分で荷重を支え、筋肉線維を圧迫しつつ乳房の上を通り、胸の側部に密着しながら胴ベルト若しくは胴ベルト付近に結合したものであった。
本発明に係るおんぶ紐１は、首元に近い位置ではなく、左右両肩の外側に近い位置を通過するように（図３，図４参照）肩ベルトの当接部分４を設けている。肩ベルトの当接部分４が、このような位置を通過するように、背当て部分３ａの上縁の幅を肩の付け根部間の幅に近い２５ｃｍ程度に形成し、この上縁の両端から外側上方（好ましくは４５度の角度）に向けて肩ベルトを取り付けている。
【００１１】
また、上記のように両肩の端に近い部分から外側に向けて大きいループの肩ベルトを設けると、ベルトが肩からずり落ちやすくなる。このため、本発明では肩ベルトが肩からずり落ちてしまうような撓みや余分な遊びが生じないように、肩ベルトの長さを従来一般のものよりも短く形成している。具体手には、背当て部分３ａの両側縁の略中間位置付近に繊維ベルト５の取り付け部を設けることで肩ベルトの長さを短くしている。この位置は、着用者の脇下からやや下のわき腹部分に亘る領域に相当する位置となっている。
【００１２】
本体部２の下端には、胴ベルト１０が取り付けられている。胴ベルト１０は幅が略９ｃｍの厚手の身体当接体１２と、当該身体当接体１２に縫着された繊維ベルト１３によって構成されている。繊維ベルト１３の両端には互いに着脱可能に連結することができるバックル１４ａ、１４ｂが取り付けられている。
前述したように、胴ベルト１０の上端縁１１には臀部支持部３ｂの下端部が結合されている。胴ベルト１０を腰よりやや上の腹部に装着すると、臀部支持部３ｂは胴ベルト１０の上端縁１１から下方に向かって乳幼児の臀部を支える部位となり、次いで背当て部分３ａとして上昇し乳幼児を収容する収容部を形成するようになっている。
【００１３】
また、左右の肩ベルトを構成する当接部分４のそれぞれには、着脱可能に互いに連結するバックルを先端に設けた連結ベルト１５が設けられている。当該連結ベルト１５は、着用者の鎖骨付近の高さで胸部前面部を横断するように設けられており、両肩に支持される各当接部分４が外側に抜け落ちないように保持するようになっている。
【００１４】
以上説明したおんぶ紐１の使用状態を図３、図４に示す。図３はおんぶ紐１を装着した使用者を正面から撮影した写真であり、図４はおんぶ紐１を装着した使用者を側方から撮影した写真である。
図３、図４に示した写真から分かるように、肩ベルトを構成する当接部分４が胸の前を通過せず、肩で背負うことが可能な最も外側のラインを通っている。肩ベルトが乳腺のある乳房部を通過すると、乳腺を圧迫してしまい乳腺炎などの障害が生じる可能性がある。これに対して上記おんぶ紐１は、肩ベルトが乳腺のある乳房部を圧迫する位置を通過しないようになっているので、おんぶ紐１の使用によって乳腺を圧迫することがないようになっている。
【産業上の利用可能性】
【００１５】
本発明は、乳幼児を背負うおんぶ紐に利用可能である。
【図面の簡単な説明】
【００１６】
【図１】本発明に係るおんぶ紐の正面図である。
【図２】本発明に係るおんぶ紐の使用時における正面図、背面図である。
【図３】本発明に係るおんぶ紐の使用状態を表した写真である。
【図４】本発明に係るおんぶ紐の使用状態を表した写真である。
【符号の説明】
【００１７】
１  おんぶ紐
２  本体部
３ａ  背当て部分
３ｂ  臀部支持部
４  当接部分
５  繊維ベルト
６  取付けパーツ
８  角部
１０  胴ベルト
１１  上端縁
１２  身体当接体
１３  繊維ベルト
１４ａ、１４ｂ  バックル
１５  連結ベルト
【図１】
2013183989.tif 000003
【図２】
2013183989.tif 000004
【図３】
2013183989.tif 000005
【図４】
2013183989.tif 000006